(57)【特許請求の範囲】
【請求項１】
印加される電圧値に基づいてバックライトからの光源の透過率を変化させる液晶パネルと、
電源回路部が生成した安定化電源を基に、インバータ回路部にて上記バックライトを駆動するための電源を供給し、ディジタル回路部にて、テレビジョン電波を基に上記液晶パネルに映像を表示するための映像信号と、スピーカに音声を出力するための音声信号を生成するメイン基板とを有する液晶テレビジョン装置において、
上記メイン基板は、上記電源回路部、ディジタル回路部、さらにはインバータ回路部の間を高周波信号用配線にて接続し、
上記高周波信号用配線は、断面の中心に一本の単線を配置し、上記中心に配置される単線の外周に複数の単線を放射状に重ねて略円形断面を形成し、さらに、長手方向をより状に束ね、上記単線同士が接する外面を半田付けして固定したことを特徴とする液晶テレビジョン装置。
【発明の詳細な説明】
【技術分野】
【０００１】
本発明は、高周波信号用配線に関し、特に、ジャンパー線挿入機にてプリント基板に実装することが可能な高周波信号用配線に関する。 
【背景技術】
【０００２】
現在、高周波信号は電源回路等に利用されている。高周波信号は文字通り周波数の高い信号であるが、周波数が高いために信号ラインからノイズを発生させる。また、高周波は配線の表面付近を流れる表皮効果の特性がある。プリント基板１に形成されたパターンからパターンへジャンパー線等を使用して一つの高周波信号を伝達する場合、通常、複数の単線をパターンとパターンの間に実装することで高周波信号を出力する。これにより単線の間で発生するノイズを打ち消し合うとともに、単線を複数使用することで合計の表面積を上げて導電率を高める狙いがある。しかしながら、一つの信号ラインに対して複数のジャンパー線を配置する必要が生じるため、コスト面において割高となっていた。
【０００３】
上述した、単線をプリント基板１に素早く実装させる方法としては、ジャンパー線挿入機を用いて実装する方法が知られている。図７はジャンパー線挿入機の概略構成図である。同図より、ジャンパー線挿入機５は、配線が巻かれたリール５ａと、リール５ａに巻き取られた配線を所定長さだけ取り出す供給部５ｂ、供給された配線を切断し、両端を曲げた後、プリント基板１に挿入する挿入部５ｃ、Ｘ、Ｙ、Ｚにスライド移動して、挿入部５ｃをプリント基板１の所定の位置に移動させる移動軸５ｄとを有する構成である。
【０００４】
上述したジャンパー線挿入機５の構成により、リール５ａに巻き取られた配線４は、供給部５ｂにより所定長さだけ巻き取られた後、挿入部５ｃに送られる。挿入部５ｃは、マイコンの制御の基、移動軸５ｄによりプリント基板１の所定の位置２に配置された後、供給された配線４を切断、両端の曲げを行った後、移動軸５ｄのＺ方向のスライドにより配線４をプリント基板１の実装用の穴３に挿入する。上述したジャンパー線挿入機５の場合、配線を実装する前提条件として、配線の横断面方向に方向性を有さないことが必要である。そのため、ジャンパー線挿入機５を用いてプリント基板１に配線の実装を行う場合において、配線の横断面は方向性を有しない形状であることが望ましい。さらには、上述したジャンパー線挿入機５の構成では、一本一本、プリント基板１に挿入するしか方法がなく、配線をまとめて挿入することはできなかった。
【０００５】
プリント基板への実装を素早く行う方法としては、プリント基板に形成された穴に足部を挿入して取り付けられるジャンパー線の複数本を絶縁性把持体で一体に把持した一体に把持したジャンパー線において、抜け防止用の突起を形成し、プリント基板の穴に上記足部を差し込んだ後も容易に当該ジャンパー線がプリント基板から抜け落ちないようにし、ジャンパー線の脱落による時間の遅延を防止する方法が開示されている（例えば、特許文献１参照。）。
【０００６】
また、複数本のケーブル芯線の並設方向における屈曲度を高めてプリント基板への実装を素早く行えるようにするため、複数のケーブル芯線を収容した絶縁被覆層の各ケーブル芯線の間にスリットを設けて屈曲し易くすることで、プリント基板に実装し易くした方法が開示されている（例えば、特許文献２参照。）。
【０００７】
さらに、プリント基板への配線の取り回しを設計する際、ノイズの種類に応じて自動で、配線の種類を選定する設計装置が開示されている。（例えば、特許文献３参照。）。
【特許文献１】特開平０９−２１９５７４
【特許文献２】特開平１０−３８２２
【特許文献３】特開２０００−１１０１４
【発明の開示】
【発明が解決しようとする課題】
【０００８】
上述した特許文献１の発明は、次のような課題があった。つまり、上述した構成のジャンパー線は、当然形状に方向性を有しているため、通常のジャンパー線挿入機でプリント基板に実装することができず、生産速度を上げることができなった。また、上述した構成のジャンパー線に対応できるジャンパー線挿入機を開発したとしても、当然専用設計となるため、コスト高となってしまった。
【０００９】
また、特許文献２の発明は、次のような課題がった。つまり、特許文献１の発明と同様にケーブルに方向性を有するため、ジャンパー線挿入機での実装が難しかった。
【００１０】
さらに、特許文献３の発明は、設計段階における最適設計を目指したものであり、本願の課題を解決するものではない。
【００１１】
本発明は、上記課題にかんがみてなされたもので、プリント基板に高周波信号用のジャンパー線を実装する際、通常のジャンパー線挿入機にて実装可能な高周波用配線を使用した液晶テレビジョン装置の提供を目的とする。
【課題を解決するための手段】
【００１２】
上記課題を解決するために、本発明では、印加される電圧値に基づいてバックライトからの光源の透過率を変化させる液晶パネルと、電源回路部が生成した安定化電源を基に、インバータ回路部にて上記バックライトを駆動するための電源を供給し、ディジタル回路部にて、テレビジョン電波を基に上記液晶パネルに映像を表示するための映像信号と、スピーカに音声を出力するための音声信号を生成するメイン基板とを有する液晶テレビジョン装置において、
上記メイン基板は、上記電源回路部、ディジタル回路部、さらにはインバータ回路部の間を高周波信号用配線にて接続し、上記高周波信号用配線は、断面の中心に一本の単線を配置し、上記中心に配置される単線の外周に複数の単線を放射状に重ねて略円形断面を形成し、さらに、長手方向をより状に束ね、上記単線同士が接する外面を半田付けして固定した構成としてある。
【００１３】
上記のように構成した発明においては、上記メイン基板は、上記電源回路部、ディジタル回路部、さらにはインバータ回路部の間を高周波信号用配線にて接続している。またメイン基板に使用される高周波信号用配線は、断面の中心に一本の単線を配置するとともに、上記中心に配置される単線の外周に６本の単線を放射状に重ねて略円形断面を形成するとともに、長手方向をより状に束ね、上記単線同士が接する外面を半田付けして固定している。
【００１４】
また、上記目的を達成するために、本発明は、高周波信号の伝達に使用される高周波信号用配線において、複数の単線をより状に束ねて断面が略円形となるよう、上記単線同士が接する外面を半田付けして固定した構成としてもよい。
【００１５】
上記のように構成した発明では、高周波信号用配線は、複数の単線をより状に束ねて断面が略円形となるよう、上記単線同士が接する外面を半田付けして固定しているので、高周波を流した場合においても、より状に束ねた単線間でノイズを打ち消しあい信号を正確に伝達するとともに、断面に方向性を持たず、通常のジャンパー線挿入機を用いてプリント基板に実装することができる。
【００１６】
上記した高周波信号用配線の円形断面の形成方法の一例としては、当該高周波信号用配線は、断面の中心に一本の単線を配置するとともに、上記中心に配置される単線の外周に６本の単線を放射状に重ねて半田付けすることで上記断面を略円形に形成する構成としてもよい。
【００１７】
上記のように構成した発明において、断面の中心に一本の単線を配置するとともに、上記中心に配置される単線の外周に６本の単線を放射状に重ねて半田付けすることで上記断面を略円形に形成するため、外周の表面積を通常の円形状に比べて広くすることができるため、内部抵抗が下がり高周波を流れ易くすることができる。
【００１８】
さらに、複数の単線をより状に束ねて固定する方法の一例としては、上記複数の単線の半田付けは、上記円形断面の中心に配置される単線の外面に半田を塗布し、上記６本の単線を断面を略円形となるよう束ねた後、熱を加えることで上記中心に配置される単線の半田を溶解させて上記６本の単線と固定する構成としてもよい。
【００１９】
上記のように構成した発明において、予め断面の中央に配置される単線に半田を塗布することにより、外周を囲む単線と中心に配置する単線とを半田付けするため、一見複雑な構成の本発明も作り易くすることができる。
【００２０】
また、複数の単線をより状に束ねて固定する方法の他の一例としては上記複数の単線の固定は、断面の中心に配置される単線と、上記中心に配置される単線の外周を取り囲む６本の単線との間に形成された隙間に半田を挿入するとともに、熱を加えて上記半田を溶解することで各単線を固定する構成としてもよい。
【００２１】
上記のように構成した発明において、断面の中心に配置される単線と外周を囲む単線との間に形成された隙間に半田を挿入した後、熱を加えて固定するので、作り易くすることができる。この場合は、半田の種類としては、棒状に長い半田に限定されず、粉状の半田を上述した隙間に挿入するものであってもよい。
【発明の効果】
【００２２】
以上説明したように本発明によれば、高周波信号ラインの配線において、配線数を少なくするとともにジャンパー線挿入機にて実装することが可能な高周波信号用配線を使用した液晶テレビジョンを提供することができる。
また本発明によれば、表面積を大きくして高周波信号に対する内部抵抗を減らすので、導電率を高くすることが可能となる。
そして本発明によれば、組み立て易い配線を提供することができる。
【発明を実施するための最良の形態】
【００２３】
本発明の高周波信号用配線の具体的な説明として、上記高周波信号用配線を使用する液晶テレビを基に説明する。しかしながら、本発明の具体的な実施例としては上記液晶テレビに限定されるものではなく、高周波信号用配線を使用するものであれば応用することができる。
以下、下記の順序に従って本発明の実施形態を説明する。
（１）高周波信号用配線の構成
（２）変形例
（３）実施の形態
（４）まとめ
【００２４】
以下、図１、図２、図３、図４を参照して、この発明に係る高周波信号用配線の形態について説明する。図１は、高周波信号用配線を示す図である。同図より、高周波信号用配線１０は、複数の単線１０ａ〜１０ｇをより状に束ねて、断面が略円形となるよう長手方向を同じに配置し、単線１０ａ〜１０ｇ同士が接する外面を半田付けして固定した形状としている。また、断面の中央に配置される単線１０ａに対して、外周を囲む単線１０ｂ〜１０ｇは放射状に配置されることで略円形上の断面を形成している。このように構成された高周波信号用配線１０に高周波を流すと、各単線１０ａ〜１０ｇに流れる高周波から輻射されるノイズは、互いに打ち消し合うため信号を正確に伝達する。
【００２５】
本発明の単線１０ａ〜１０ｇの直径としては、約０．１ｍｍとし、図のように束ねた際の高周波信号用配線１０の直径として約０．６ｍｍ〜０．８ｍｍとしている。これは、通常のプリント基板の素子実装用の穴が約１０ｍｍであるとともに、通常ジャンパー線として用いられる単線が約０．８ｍｍであるためこれに合わせた数値としている。これにより、プリント基板の形状を変更することなく、さらにはジャンパー線挿入機側も使用変更を行うことなく上記した高周波信号用配線１０を使用することが可能となる。
【００２６】
上述した、高周波信号用配線１０を形成する、単線１０ａ〜１０ｇの直径は、上述した値に限定されず、ジャンパー線として使用するために必要な直径に合わせて適宜変更すればよい。こうして形成された高周波信号用配線１０の断面は、このように、通常の配線と略同等の断面形状にすることにより、断面の方向性を考慮することなく通常の配線と同等に使用することが可能となるので、配線をプリント基板に実装するジャンパー線挿入機側に特殊な改良を必要とせず、通常のジャンパー線挿入機を併用して使用することが可能となる。また、使用する材料としては、通常の配線と同様の銅合金を使用している。無論、使用する素材も、銅合金に限定されず後述するように半田により単線間を固定できる素材であればよい。
【００２７】
図２は、高周波信号用配線１０の作成工程図である。以下図２に従って高周波信号用配線１０の作成方法を説明する。まず、一本の単線１０ａの外周面に沿って半田１２を塗布する。本発明の一実施形態としては、ペースト状の半田１２ａを使用している。次に、上記した外周面に半田１２を塗布した単線１０ａの外周を６本の単線１０ｂ〜１０ｇにて囲むよう重ねて略円形断面を形成する。次に、単線にて形成された円断面を保ったまま、長手方向を図中半時計周りにひねりより状とする。この際、円形断面を形成するよう束ねた各単線１０ａ〜１０ｇがばらけることのないよう、耐熱性の高い絶縁皮膜で束ねた単線１０ａ〜１０ｇを覆ってもよい。最後にこの状態で、外部から中心部の単線１０ａに塗布された半田が溶解するだけの熱を加え、単線１０ａ〜１０ｇを半田で固定する。
【００２８】
図３は、高周波信号用配線の断面を表す図である。同図より、断面の中心に位置する単線１０ａと、その外周を囲む単線１０ｂ〜１０ｇとで形成された隙間１１ａ〜１１ｆには、熱を加えることにより溶解した半田１２ａが再度固まり単線１０ａ〜１０ｇを固定している。これにより、一見作成の難しい高周波信号用配線１０も簡易に作成することが可能となる。また、単線１０ａを囲む単線１０ｂ〜１０ｇにて形成される外周は、円形状に比べて表面積が大きくなるため、同一直径の縁断面と比較して、高周波信号の流れる面積が広がり内部抵抗が下がり導電率を高めることが可能となる。
【００２９】
（２）変形例
上述した構成の高周波信号用配線において、以下のように高周波信号用配線１０を作成してもよい。図４は、変形例としての高周波信号用配線の断面図である。同図より、上記中心に配置される単線１０ａの外周を取り囲む６本の単線１０ｂ〜１０ｇとの間に形成された隙間１１ａ〜１１ｆには、長手方向に長い形状の半田１２ｂ１〜１２ｂ６を挟みこんでいる。上述した状態で、外部から半田１２ｂ１〜１２ｂ６が溶解するだけの熱を加えてやると、隙間１１ａ〜１１ｆに配置された半田１２ｂは溶解を始め図３のように各単線１０ａ〜１０ｇを固定する。さらに、各単線１０ａ〜１０ｇの直径が小さく、十分な大きさの隙間１１ａ〜１１ｆを形成できない場合では、粉状の半田を使用することにより各単線１０ａ〜１０ｇを固定することが可能である。これにより、一見作成の難しい高周波信号用配線１０も簡易に作成することが可能となる。
【００３０】
（３）実施の形態
以下に高周波信号用配線１０を使用した実施の形態について説明を行う。図５は、高周波信号用配線１０を使用した液晶テレビ１３の構成図である。同図より、液晶テレビ１３は、筺体１４を構成するフロントキャビネット１４ａ、バックキャビネット１４ｂ、映像を表示するための液晶パネル１５、図示しないアンテナが受信したテレビジョン電波を基に映像と音声を生成するメイン基板１６、メイン基板１６が生成した音声を出力するスピーカ１７と、上記した液晶パネル１５、メイン基板１６、さらにはスピーカ１７を固定して筺体１４に収容するためのメインフレーム１８とを有する構成である。
【００３１】
上述した液晶パネル１５は、駆動電圧の電圧値によって分子の配列を変化させる液晶物質を充填した画素をマトリクス状に配置する表示パネル１５ａ、メイン基板１６から供給された映像信号を基に、上記表示パネル１５ａに駆動電圧を出力する駆動回路、さらには表示パネル１５ａの各画素に光源を照射するためのバックライト１５ｂとを有している。表示パネル１５ａの各画素にはＲＧＢの各色に対応するフィルムが貼られており、駆動回路により駆動電圧を印加された、液晶パネル１５の裏側からバックライト１５ｂにより光を透過させると、各画素の光の透過率が変化しＲＧＢのカラーフィルムを投下する光の階調を変化させることで映像を表示する。
【００３２】
メイン基板１６は上述したテレビジョン電波から所定の映像信号、並びに音声信号を生成するためのディジタル回路部１６ａ、コンセントから供給される商用電源を基に各要素に必要な安定化電源を供給する電源回路部１６ｂ、さらには、電源回路部１６ｂが生成した安定化電源を基にバックライト１５ｂを駆動するための電源を生成するインバータ回路部１６ｃとを有する構成である。図６は、メイン基板１６の概略配置図である。同図より、メイン基板１６の上側にディジタル回路部１６ａが配置され、その下方に電源回路部１６ｂ、さらに右端にインバータ回路部１６ｃとが配置されている。ディジタル回路部１６ａ、電源回路部１６ｂ、インバータ回路部１６ｃとの間には、グランドライン１６ｄが配置され、短絡による発熱による二次災害を防止する機能を果たしている。
【００３３】
そのため、各回路の信号の受け渡しには、上記したグランドライン１６ｄを跨ぐようにジャンパー線１９によって回路間を接続している。このとき、ディジタル回路部１６ａとインバータ回路部１６ｃ、さらには電源回路部１６ｂとインバータ回路部１６ｃとは高周波信号用配線１０により接続され、ディジタル回路部１６ａ、並びに電源回路部１６ｂから供給される高周波信号を安定的にインバータ回路部１６ｃに供給していく。これにより、インバータ回路部１６ｃは、液晶パネル１５のバックライト１５ｂを正確に駆動させ、表示パネル１５ａに映像を鮮明に表示させる。無論、上述した高周波信号用配線１０は、上述した実施例で開示した使用方法に限定されず、高周波信号を伝達する箇所に使用することで本発明と同様な効果を得ることができる。
【００３４】
（４）まとめ 
プリント基板に高周波信号用のジャンパー線を実装する際、通常のジャンパー線挿入機にて実装可能な高周波用配線を提供するために、複数の単線をより状に束ねて断面が略円形となるよう、上記単線同士が接する外面を半田付けして固定する。
【００３５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３６】
【図１】高周波信号用配線を表す図である。
【図２】高周波信号用配線を作成する工程図である。
【図３】高周波信号用配線の断面図を表す図である。
【図４】変形例としての高周波信号用配線の断面図である。
【図５】液晶テレビジョン装置の構成図である。
【図６】メイン基板の概略配置図である。
【図７】ジャンパー線挿入機の概略構成図である。
【符号の説明】
【００３７】
１０…高周波信号用配線、１０ａ〜１０ｇ…単線、１２…半田、１２ａ…半田、１２ｂ…半田、１２ｂ１〜１２ｂ６…半田、１３…液晶テレビ、１４…筺体、１４ａ…フロントキャビネット、１４ｂ…バックキャビネット、１５…液晶パネル、１５ａ…表示パネル、１５ｂ…バックライト、１６…メイン基板、１６ａ…ディジタル回路部、１６ｂ…電源回路部、１６ｃ…インバータ回路部、１６ｄ…グランドライン、１７…スピーカ、１８…メインフレーム、１９…ジャンパー線
【図１】
0004424510.tif 000002
【図２】
0004424510.tif 000003
【図３】
0004424510.tif 000004
【図４】
0004424510.tif 000005
【図５】
0004424510.tif 000006
【図６】
0004424510.tif 000007
【図７】
0004424510.tif 000008